【事件の表示】
　特願２００９−７４８８７号「紙葉取扱装置」拒絶査定不服審判事件〔平成２２年１０月１４日出願公開、特開２０１０−２３１２６２号〕について、次のとおり審決する。
【結　論】
　本件審判の請求は、成り立たない。
【理　由】
Ｉ．手続の経緯
　本願は、平成２１年３月２５日の出願であって、平成２５年１月２５日付けで拒絶理由を通知したところ、同年３月２９日付けで意見書が提出されるとともに同日付けで手続補正がなされ、同年５月１日付けで拒絶査定がなされたところ、同査定を不服として同年８月７日に拒絶査定不服審判の請求がなされると同時に手続補正がなされたものである。 　
　
II．平成２５年８月７日付けの手続補正（以下、「本件補正」という。）
１．本件補正の内容
　本件補正は、平成２５年３月２９日付けの手続補正で補正された特許請求の範囲、すなわち、
「　　【請求項１】
　紙葉を投入又は放出する投出部と、
　該紙葉を搬送する複数の搬送経路から成る搬送路と、
　該搬送路の下方に配置された紙幣収納体収容部と、
　該紙幣収納体収容部に着脱自在に装着され、複数種類の紙葉を種類毎に収納する収納部と共に不良紙葉を回収する不良回収部を内蔵する複数の紙幣収納体と、
　該投出部に前記複数の紙幣収納体のうち、所望の前記紙幣収納体から前記紙葉を繰り出す紙葉繰出手段と、
　該紙葉繰出手段により前記紙葉が繰り出されたとき、該紙葉が繰出された前記紙幣収納体が前記複数の紙幣収納体のうち、いずれの前記紙幣収納体であるかを記憶する紙幣収納体記憶手段と、
　前記搬送路に沿った所定の１箇所に設けられ、繰り出された前記紙葉が不良で有るか否かを判別する良否判別手段と、
　該良否判別手段により不良があると判別されたとき、該不良があると判別された不良紙葉を、前記紙幣収納体記憶手段の記憶に基づいて前記不良紙葉が繰り出された前記紙幣収納体の前記不良回収部に回収する不良紙葉回収手段と、
　前記紙葉繰出手段、前記紙幣収納体記憶手段、前記良否判別手段、及び前記不良紙葉回収手段による一連の処理を所望の各紙幣収納体ごとに個別に順次行なう制御手段と、
を有することを特徴とする紙葉取扱装置。
　　【請求項２】
　複数の前記紙幣収納体ごとに、前記紙葉の初期収容枚数、追加収容枚数合計、繰り出し枚数合計、前記不良紙葉の回収枚数合計を記憶する各紙葉枚数記憶手段と、
　該各紙葉枚数記憶手段の記憶に基づいて、前記複数の紙幣収納体ごとの現有総紙葉枚数を算出する現有総紙葉枚数算出手段と、
　を更に備えることを特徴とする請求項１記載の紙葉取扱装置。
　　【請求項３】
　前記不良紙葉は、重送、斜行、折れ曲がり、破れ、及び汚れ付着のうち少なくとも一つを含む紙葉であることを特徴とする請求項１又は２記載の紙葉取扱装置。」
　を、本件補正後の特許請求の範囲、すなわち、
「　　【請求項１】
　紙葉を投入又は放出する投出部と、
　該紙葉を搬送する複数の搬送経路から成る搬送路と、
　該搬送路の下方に配置された紙幣収納体収容部と、
　該紙幣収納体収容部に着脱自在に装着され、複数種類の紙葉を種類毎に収納する収納部と共に不良紙葉を回収する不良回収部を内蔵する複数の紙幣収納体と、
　該投出部に前記複数の紙幣収納体のうち、所望の前記紙幣収納体から前記紙葉を繰り出す紙葉繰出手段と、
　
複数の前記紙幣収納体ごとに、前記紙葉の初期収容枚数、追加収容枚数合計、繰り出し枚数合計、前記不良紙葉の回収枚数合計を記憶すると共に、前記
各紙葉枚数記憶手段
　前記搬送路に沿った所定の１箇所に設けられ、繰り出された前記紙葉が不良で有るか否かを判別する良否判別手段と、
　該良否判別手段により不良があると判別されたとき、該不良があると判別された不良紙葉を、
前記各紙葉枚数
　前記紙葉繰出手段、前記
紙葉枚数
　
前記各紙葉枚数記憶手段の記憶に基づいて、前記複数の紙幣収納体ごとの現有総紙葉枚数を算出する現有総紙葉枚数算出手段と、
　を有することを特徴とする紙葉取扱装置。
　　【請求項２】
　前記不良紙葉は、重送、斜行、折れ曲がり、破れ、及び汚れ付着のうち少なくとも一つを含む紙葉であることを特徴とする請求項１記載の紙葉取扱装置。」（下線部は補正箇所を示す。）
　に補正するものである。
　
２．本件補正の適否
　本件補正は、補正前の請求項１を削除し、補正前の請求項１を引用する請求項２における「紙幣収納体記憶手段」を「各紙葉枚数記憶手段」に補正してその記載を明確にするとともに、補正前の請求項２を独立請求項に書き直して補正後の請求項１とし、さらに、補正前の請求項１又は２を引用する請求項３を補正後の請求項１を引用する請求項２とするものであるから、特許法第１７条の２第５項第１号の請求項の削除及び第４号の明りょうでない記載の釈明を目的とするものに該当する。
　また、本件補正は、特許法第１７条の２第３項及び第４項に規定する要件を満たすものである。 
　よって、本件補正は、適法になされたものであるから、本件補正を認める。
　
III．本願発明 
　上記のとおり、本件補正は認められるから、本願の請求項１に係る発明（以下、「本願発明」という。）は、前記II．１．に示した、本件補正後の特許請求の範囲の請求項１に記載されたとおりのものである。
　 
IV．引用例の記載事項
（１）特開２０００−８２１６１号公報
　本願の出願前に頒布された刊行物であり、原査定の拒絶の理由に引用された特開２０００−８２１６１号公報（以下、「引用例」という。）には、図面と共に次の事項が記載されている。
ア：「【００１６】上述の入出金ユニット１２の制御を図４を用いて説明する。入出金ユニット１２の万円庫１６，千円庫１７，入金庫１８および装填庫１９のそれぞれに各金庫に収納されている紙幣の券種および枚数を記憶する後述するＥＥＰＲＯＭ９５ａ〜９５ｃ（メモリ）が設置されている。万円庫１６等に設置されているＥＥＰＲＯＭ９５ａ〜９５ｃに接続されている金庫メモリ制御部９１は、万円庫１６，千円庫１７，入金庫１８および装填庫１９に収納されている紙幣の券種および枚数を検知するものである。この金庫メモリ制御部９１に接続されている制御部９２は、鑑査部３６等から入力される紙幣の損券の検知信号および金庫メモリ制御部９１から入力される万円庫１６等に収納されている紙幣の枚数等を示す信号によりドライブ回路９３に駆動信号を出力するものである。ドライブ回路９３は、制御部９２から入力される駆動信号により万円庫１６等からの紙幣の取り出し及び搬送路の駆動を制御するものである。」
　
イ：「【００２８】上述した万円庫１６等の各金庫の制御を図８, 図９に示すブロック図を用いて説明する。図８は記憶素子に電気的に消去可能な不揮発性メモリであるＥＥＰＲＯＭ９５を備えたものであり、図９は電源としてバッテリ９４を備えたものである。
【００２９】まず、図８に示すタイプの金庫カセット７２にはＥＥＰＲＯＭ９５の他に制御部９７ａおよびインタフェイス部９８ａを有するものである。ＥＥＰＲＯＭ９５は、金庫に収納されている紙幣の券種および枚数を所定のアドレスに記憶しているものである。また、ＥＥＰＲＯＭ９５は電源が切れてもアドレスに記憶しているデータが消去することもない。更にＥＥＰＲＯＭ９５には金庫カセット７２が取引可能ならば零であり、金庫カセット７２が取引不可能ならば「１」を示すフラグを有している。制御部９７ａは、ＥＥＰＲＯＭ９５とのアドレス線からアドレスを指定してデータ線から指定したアドレスにリード線またはライト線を指定してデータの読取り又は書込みをするものである。インタフェイス部９８ａは、制御部９７ａと制御部９２等とのデータ伝送を制御するものであり、調歩同期によるシリアルーパラレル変換によりデータ伝送するものである。
【００３０】図９に示すタイプの金庫カセット７２は、金庫本体に制御部９７b 等に電源を供給する電源部９４を備えている。この電源部９４を備えていることにより制御部９７ｂは、金庫１６〜１９の蓋７４の開閉を検知する光センサー８８からの検知信号をＥＥＰＲＯＭ９５a ，９５b のアドレスに記憶する。記憶した検知信号の回数が許容値を超えると制御部９７ｂは、金庫１６〜１９の蓋７４が不良と判断して後述する紙幣整理機１００から紙幣を装填するときに蓋７４の不良を、例えば警告灯により表示する。
【００３１】上記蓋７４の開閉の検知および入出金の取引用の貨幣等の情報を記憶するＥＥＰＲＯＭは、バックアップ用としてＥＥＰＲＯＭ９５a と同じ情報を記憶するＥＥＰＲＯＭ９５b を備えている。これにより、例えば電源断が発生してもＥＥＰＲＯＭ９５a ，９５b に記憶されている情報を確実に保持することができ、更に、バックアップ用のＥＥＰＲＯＭ９５b の情報と照合することにより情報の信頼性を向上できる。本金庫カセット７２の送信に発光ダイオード（ＬＥＤ９９a ）を、受信にはホトダイオード９９b をインタフェイス部９８b を介して行う。また、本金庫カセット７２には太陽電池９９c を備えて電源を外部に頼らずに補充できるため、維持費等の節約になる。」
　
ウ：「【００３６】前述した入出金ユニット１２の変形例として下部ユニット１４ｂの万円庫１６，千円庫１７に２枚取りのリジェクト券を収納するリジェクト収納部２０ａ，２０ｂを備えた構成を図１２に示す。例えば出金取引きのとき、万円庫１６から取り出された万円券は、搬送路により紙幣の券種の判別および紙幣の枚数をカウントする鑑査部３６に搬送される。鑑査部３６に搬送された万円券がリジェクト券ならば鑑査部３６は、リジェクト券を搬送路により万円庫１６に搬送する。搬送された万円券は、取出ローラ３０４ａにより万円庫１６の下端に設けられているリジェクト券収納部２０ｂに収納される。また、千円庫１７から取り出された千円券がリジェクト券のときも同様にして千円券リジェクト部２１ｂに収納する。
【００３７】これにより、万円庫１６等から取り出されたリジェクト券の枚数をＥＥＰＲＯＭ９５に記憶することにより金庫の取出し性能等を管理できる。」
　
エ：「【００４１】次に図１４〜図１６を用いてユニットを後方に引き出して操作する場合について説明する。後方操作では、上下連結ギアＧは、上部ユニット１４ａに取付けられているので、上部ユニット１４ａと下部ユニット１４ｂを同時に引き出す場合と（図１４）下部ユニット１４ｂのみ引き出す場合（図１５）とが可能である。前面操作の場合と同様、装填庫１９は、上部ユニット１４ａと、下部ユニット１４ｂを引き出した状態で、装填搬送部Ｒ８ａを上方に開き、装填庫１９を上方に引き出すことができる。
【００４２】図１５は、下部ユニット１４ｂのみ後方に引き出したもので、下部搬送路４８が回動して開き、万円庫１６，千円庫１７および入金庫１８をそれぞれ上方向に引き出すことができる。」
　
オ：「【００６７】ステップ４８０に進むと制御部９２は、金庫カセット７２のＥＥＰＲＯＭ９５から入出金取引終了後の万円庫１６に保有する枚数を読取る。読取った万円券の枚数と万円庫１６および装填庫１９の算当結果との差分を演算して当該演算した差分がリジェクト枚数である。主制御部５１は、万円券およびリジェクト枚数をＲＡＭ５３に記憶した後に伝送制御部６５を介してホストコンピュータに伝送する。（４８０〜４９０）。
【００６８】金庫交換に進むと制御部９２は、装填動作を停止した後にリードスイッチ７８からの検知信号により金庫が抜かれて、かつ、金庫がセットされたならばセット金庫のＥＥＰＲＯＭ９５から収納している紙幣の種類及び枚数を読取る（ステップ５００〜５３０）。
【００６９】読取りが終了すると制御部９７a は、ＥＥＰＲＯＭ９５a のフラグが零ならば処理を終了して、フラグが零でなければエラー表示して警告する（５４０〜５５０）。
【００７０】金庫抜取りに進むと制御部９２は、主制御部５１から抜取り指示の信号が入力されると動作を停止させる。動作の停止後、制御部９２は、セットされている金庫に対して前述した残留チェック（ステップ３００〜３７０）および算当処理（ステップ４００〜４９０）を行う。処理の終了後、制御部９２は、セットされている金庫のメモリ（ＥＥＰＲＯＭ９５）に情報を記憶した後に金庫カセット７２が抜取られる（ステップ６００〜６５０）。
【００７１】金庫装着に進むと制御部９２は、主制御部５１から装填指示の信号が入力されると動作を停止させる。金庫カセット７２が装着されると装着された金庫のメモリ（ＥＥＰＲＯＭ９５）から金庫に収納している紙幣の枚数等の情報を読取る。読取りが終了すると制御部９２a は、ＥＥＰＲＯＭ９５a のフラグが零ならば処理が終了して、フラグが零でなければエラー表示して警告する（７４０〜７５０）。
【００７２】以上説明した如く、万円庫１６等の紙幣の有無を調べる残留チェックおよび各金庫カセット７２のリジェクト枚数を検出できるので、金庫カセット７２に収納されている紙幣の管理が厳格にできる。」
　
ａ：図１〜１５の図示内容からして、引用例に記載された自動取引装置は、紙幣を投入又は放出する入出金口７と、該紙幣を搬送する複数の搬送経路から成る搬送路と、該搬送路の下方に配置された万円庫１６及び千円庫１７を収容する下部ユニット１４ｂとを有するものである。
　
ｂ：ａから下部ユニット１４ｂが自動取引装置を構成するといえること、エの「図１５は、下部ユニット１４ｂのみ後方に引き出したもので、下部搬送路４８が回動して開き、万円庫１６，千円庫１７および入金庫１８をそれぞれ上方向に引き出すことができる。」との記載、オの「金庫交換に進む・・・金庫抜取りに進む・・・金庫装着に進む」との記載及び該記載の「金庫」が万円庫１６、千円庫１７を含むことが明らかなことからして、万円庫１６及び千円庫１７は自動取引装置に着脱自在に装着されているものである。
　さらに、ウの「前述した入出金ユニット１２の変形例として下部ユニット１４ｂの万円庫１６，千円庫１７に２枚取りのリジェクト券を収納するリジェクト収納部２０ａ，２０ｂ（当審注：「２０ａ，２０ｂ」は「２０ｂ，２１ｂ」の明らかな誤記であるので、「２０ｂ，２１ｂ」と読み替える。）を備えた構成を図１２に示す。」との記載及び図１２の図示内容からして、万円庫１６は、万円券を収納する収納部２０ａ及びリジェクト券を収納するリジェクト券収納部２０ｂを備えるものであり、千円庫１７は、千円券を収納する収納部２１ａ及びリジェクト券を収納するリジェクト券収納部２１ｂを備えるものである。
　そうすると、引用例に記載された自動取引装置は、下部ユニット１４ｂに着脱自在に装着され、万円券を収納する収納部２０ａ及びリジェクト券を収納するリジェクト券収納部２０ｂを備える万円庫１６並びに千円券を収納する収納部２１ａ及びリジェクト券を収納するリジェクト券収納部２１ｂを備える千円庫１７を有するものである。
【図１２】
ｃ：アの「金庫メモリ制御部９１に接続されている制御部９２は、鑑査部３６等から入力される紙幣の損券の検知信号および金庫メモリ制御部９１から入力される万円庫１６等に収納されている紙幣の枚数等を示す信号によりドライブ回路９３に駆動信号を出力するものである。ドライブ回路９３は、制御部９２から入力される駆動信号により万円庫１６等からの紙幣の取り出し及び搬送路の駆動を制御するものである。」との記載、ウの「例えば出金取引きのとき、万円庫１６から取り出された万円券は、搬送路により紙幣の券種の判別および紙幣の枚数をカウントする鑑査部３６に搬送される。」との記載及び万円庫１６、千円庫１７からの紙幣の繰り出しは出金される金種に応じたものであることが明らかなことからして、引用例に記載された自動取引装置は、入出金口７に万円庫１６、千円庫１７のうち、出金の金種に応じた金庫から紙幣を繰り出す紙幣繰出手段を有するものである。
　
ｄ：ｃ及びウの「例えば出金取引きのとき、万円庫１６から取り出された万円券は、搬送路により鑑査部３６に搬送される。鑑査部３６に搬送された万円券がリジェクト券ならば鑑査部３６は、リジェクト券を搬送路により万円庫１６に搬送する。搬送された万円券は、取出ローラ３０４ａにより万円庫１６の下端に設けられているリジェクト券収納部２０ｂに収納される。また、千円庫１７から取り出された千円券がリジェクト券のときも同様にして千円券リジェクト部２１ｂに収納する。」との記載からして、引用例に記載された自動取引装置は、紙幣繰出手段により紙幣が繰り出されたとき、該紙幣が繰り出された金庫が万円庫１６及び千円庫１７のうち、いずれの金庫であるかを記憶する記憶手段を有するものである。
　また、リジェクト券が不良紙幣であることは明らかであるから、図１２の図示内容からして、鑑査部３６は、紙幣を搬送する搬送路に沿った一箇所に設けられ、繰り出された紙幣が不良であるか否かを判別するものである。
　さらに、繰り出された紙幣がリジェクト券ならば紙幣が繰り出された金庫の紙幣収納部に搬送されるから、引用例に記載された自動取引装置は、リジェクト券を、前記記憶手段の記憶に基づいて前記リジェクト券が繰り出された前記万円庫１６、千円庫１７の前記リジェクト券収納部２０ｂ、２１ｂに搬送するリジェクト券回収手段を有するものである。
　そうすると、引用例に記載された自動取引装置は、紙幣繰出手段により紙幣が繰り出されたとき、該紙幣が繰り出された金庫が万円庫１６及び千円庫１７のうち、いずれの金庫であるかを記憶する記憶手段と、
　紙幣を搬送する搬送路に沿った一箇所に設けられ、繰り出された紙幣が不良であるか否かを判別する鑑査部３６と、
　鑑査部３６により不良があると判別されたとき、該不良があると判別されたリジェクト券を、前記記憶手段の記憶に基づいて前記リジェクト券が繰り出された前記万円庫１６、千円庫１７の前記リジェクト券収納部２０ｂ、２１ｂに搬送するリジェクト券回収手段を有するものである。
　
ｅ：アの「万円庫１６，千円庫１７・・・のそれぞれに各金庫に収納されている紙幣の券種および枚数を記憶する後述するＥＥＰＲＯＭ９５ａ〜９５ｃ（メモリ）が設置されている。」との記載、イの「図８に示すタイプの金庫カセット７２にはＥＥＰＲＯＭ９５の他に制御部９７ａおよびインタフェイス部９８ａを有するものである。ＥＥＰＲＯＭ９５は、金庫に収納されている紙幣の券種および枚数を所定のアドレスに記憶しているものである。」との記載における「金庫に収納されている紙幣の・・・枚数」が金庫に収納されている総紙幣枚数を意味することは明らかだから、該記載からして、万円庫１６、千円庫１７は、それぞれ各金庫に収納されている総紙幣枚数を記憶するＥＥＰＲＯＭ９５を有するものである。
　そして、オの「金庫がセットされたならばセット金庫のＥＥＰＲＯＭ９５から収納している紙幣の種類及び枚数を読取る・・・金庫カセット７２が装着されると装着された金庫のメモリ（ＥＥＰＲＯＭ９５）から金庫に収納している紙幣の枚数等の情報を読取る。」との記載からして、万円庫１６、千円庫１７のＥＥＰＲＯＭ９５は、万円庫１６、千円庫１７が入出金ユニット１２に装着される時にそれぞれに収納されている総紙幣枚数を記憶しているものである。
　さらに、オの「ステップ４８０に進むと制御部９２は、金庫カセット７２のＥＥＰＲＯＭ９５から入出金取引終了後の万円庫１６に保有する枚数を読取る。」との記載からして、万円庫１６、千円庫１７のＥＥＰＲＯＭ９５は、入出金取引終了後の万円庫１６、千円庫１７ごとの現有総紙幣枚数を記憶するものである。
　加えて、ウの「万円庫１６等から取り出されたリジェクト券の枚数をＥＥＰＲＯＭ９５に記憶することにより金庫の取出し性能等を管理できる。」との記載における「リジェクト券の枚数」がリジェクト券の枚数の合計を意味することは明らかだから、該記載からして、万円庫１６、千円庫１７のＥＥＰＲＯＭ９５は、万円庫１６、千円庫１７から取り出されそれぞれのリジェクト券収納部２０ｂ、２１ｂに収納されたリジェクト券の枚数の合計を記憶するものである。
　以上によれば、引用例に記載された自動取引装置において、万円庫１６、千円庫１７は、万円庫１６、千円庫１７が入出金ユニット１２に装着される時にそれぞれに収納されている総紙幣枚数を記憶しており、万円庫１６、千円庫１７から取り出されリジェクト券収納部２０ｂ、２１ｂに収納されたリジェクト券の枚数の合計を記憶し、入出金取引終了後の万円庫１６、千円庫１７ごとの現有総紙幣枚数を記憶するＥＥＰＲＯＭ９５を有している。
　
ｆ：ａ〜ｅ、ウの「例えば出金取引きのとき、万円庫１６から取り出された万円券は、搬送路により紙幣の券種の判別および紙幣の枚数をカウントする鑑査部３６に搬送される。鑑査部３６に搬送された万円券がリジェクト券ならば鑑査部３６は、リジェクト券を搬送路により万円庫１６に搬送する。搬送された万円券は、取出ローラ３０４ａにより万円庫１６の下端に設けられているリジェクト券収納部２０ｂに収納される。また、千円庫１７から取り出された千円券がリジェクト券のときも同様にして千円券リジェクト部２１ｂに収納する。」との記載及び技術常識からして、引用例に記載された自動取引装置は、前記紙幣繰出手段、前記記憶手段、前記鑑査部３６、及び前記リジェクト券回収手段による一連の処理を万円庫１６、千円庫１７のうち、出金の金種に応じた金庫ごとに個別に順次行なう制御手段を有するものである。
　
　これら記載事項及び図示内容を総合すると、引用例には、次の発明（以下、「引用発明」という。）が記載されている。
「紙幣を投入又は放出する入出金口７と、
　該紙幣を搬送する複数の搬送経路から成る搬送路と、
　該搬送路の下方に配置された万円庫１６及び千円庫１７を収容する下部ユニット１４ｂと、
　該下部ユニット１４ｂに着脱自在に装着され、万円券を収納する収納部２０ａ及びリジェクト券を収納するリジェクト券収納部２０ｂを備える万円庫１６並びに千円券を収納する収納部２１ａ及びリジェクト券を収納するリジェクト券収納部２１ｂを備える千円庫１７と、
　該入出金口７に万円庫１６、千円庫１７のうち、出金の金種に応じた金庫から紙幣を繰り出す紙幣繰出手段と、
  万円庫１６、千円庫１７が入出金ユニット１２に装着される時にそれぞれに収納されている総紙幣枚数を記憶しており、万円庫１６、千円庫１７から取り出されリジェクト券収納部２０ｂ、２１ｂに収納されたリジェクト券の枚数の合計を記憶する、万円庫１６、千円庫１７のＥＥＰＲＯＭ９５と、
　前記紙幣繰出手段により前記紙幣が繰り出されたとき、該紙幣が繰り出された金庫が万円庫１６及び千円庫１７のうち、いずれの金庫であるかを記憶する記憶手段と、
　前記搬送路に沿った１箇所に設けられ、繰り出された前記紙幣が不良で有るか否かを判別する鑑査部３６と、
　該鑑査部３６により不良があると判別されたとき、該不良があると判別されたリジェクト券を、前記記憶手段の記憶に基づいて前記リジェクト券が繰り出された前記万円庫１６、千円庫１７の前記リジェクト券収納部２０ｂ、２１ｂに搬送するリジェクト券回収手段と、
　前記紙幣繰出手段、前記記憶手段、前記鑑査部３６、及び前記リジェクト券回収手段による一連の処理を万円庫１６、千円庫１７のうち、出金の金種に応じた金庫ごとに個別に順次行なう制御手段とを有し、
　万円庫１６、千円庫１７のＥＥＰＲＯＭ９５は、入出金取引終了後の万円庫１６、千円庫１７ごとの現有総紙幣枚数を記憶する自動取引装置。」
　 
V．対比
　引用発明の「紙幣」は本願発明の「紙葉」に相当し、以下同様に、「自動取引装置」は「紙葉取扱装置」に、「紙幣を投入又は放出する入出金口７」は「紙葉を投入又は放出する投出部」に、「万円庫１６」及び「千円庫１７」は「紙幣収納体」に、「該搬送路の下方に配置された万円庫１６及び千円庫１７を収容する下部ユニット１４ｂ」は「該搬送路の下方に配置された紙幣収納体収容部」に、「万円券」及び「千円券」は「複数種類の紙葉」に、「万円券を収納する収納部２０ａ」及び「千円券を収納する収納部２１ａ」は「複数種類の紙葉を種類毎に収納する収納部」に、「紙幣繰出手段」は「紙葉繰出手段」に、「リジェクト券」は「不良紙葉」に、「収納する」は「回収する」に、「リジェクト券収納部２０ｂ」及び「リジェクト券収納部２１ｂ」は「不良回収部」に、それぞれ相当する。
　
　引用発明の「万円庫１６」、「千円庫１７」は、それぞれ、「リジェクト券を収納するリジェクト券収納部２０ｂ」、「リジェクト券を収納するリジェクト券収納部２１ｂ」を備えているから、金庫の構成としてみればその内部にリジェクト券収納部（不良回収部）を内蔵するものといえる。
　そうすると、引用発明の「万円券を収納する収納部２０ａ及びリジェクト券を収納するリジェクト券収納部２０ｂを備える万円庫１６並びに千円券を収納する収納部２１ａ及び搬送されるリジェクト券を収納するリジェクト券収納部２１ｂを備える千円庫１７」は本願発明の「複数種類の紙葉を種類毎に収納する収納部と共に不良紙葉を回収する不良回収部を内蔵する複数の紙幣収納体」に相当する。
　
　引用発明の「万円庫１６、千円庫１７のうち、出金の金種に応じた金庫」は本願発明の「前記複数の紙幣収納体のうち、所望の前記紙幣収納体」に相当するから、引用発明の「該入出金口７に万円庫１６、千円庫１７のうち、出金の金種に応じた金庫から紙幣を繰り出す紙幣繰出手段」は本願発明の「該投出部に前記複数の紙幣収納体のうち、所望の前記紙幣収納体から前記紙葉を繰り出す紙葉繰出手段」に相当する。
　
　引用発明の「万円庫１６、千円庫１７が入出金ユニット１２に装着される時」は本願発明の「初期」に相当するから、引用発明の「万円庫１６、千円庫１７が入出金ユニット１２に装着される時」に「それぞれに収納されている総紙幣枚数」は本願発明の「前記紙葉の初期収容枚数」に相当する。
　また、引用発明の「万円庫１６、千円庫１７から取り出されリジェクト券収納部２０ｂ、２１ｂに収納されたリジェクト券の枚数の合計」は本願発明の「不良紙葉の回収枚数合計」に相当する。
　そうすると、引用発明の「万円庫１６、千円庫１７が入出金ユニット１２に装着される時にそれぞれに収納されている総紙幣枚数を記憶しており、万円庫１６、千円庫１７から取り出されリジェクト券収納部２０ｂ、２１ｂに収納されたリジェクト券の枚数の合計を記憶する、万円庫１６、千円庫１７のＥＥＰＲＯＭ９５」と本願発明の「複数の前記紙幣収納体ごとに、前記紙葉の初期収容枚数、追加収容枚数合計、繰り出し枚数合計、前記不良紙葉の回収枚数合計を記憶する・・・各紙葉枚数記憶手段」とは、「複数の前記紙幣収納体ごとに、初期に前記紙葉の初期収容枚数を記憶しており、前記不良紙葉の回収枚数合計を記憶する・・・記憶手段」である点で一致する。
　
　引用発明の「前記紙幣繰出手段により前記紙幣が繰り出されたとき、該紙幣が繰り出された金庫が万円庫１６及び千円庫１７のうち、いずれの金庫であるかを記憶する記憶手段」と本願発明の「前記紙葉繰出手段により前記紙葉が繰り出されたとき、該紙葉が繰出された前記紙幣収納体が前記複数の紙幣収納体のうち、いずれの前記紙幣収納体であるかを記憶する各紙葉枚数記憶手段」とは、「前記紙葉繰出手段により前記紙葉が繰り出されたとき、該紙葉が繰出された前記紙幣収納体が前記複数の紙幣収納体のうち、いずれの前記紙幣収納体であるかを記憶する記憶手段」である点で一致する。
　
　引用発明の「前記搬送路に沿った１箇所に設けられ、繰り出された前記紙幣が不良で有るか否かを判別する鑑査部３６」は本願発明の「前記搬送路に沿った所定の１箇所に設けられ、繰り出された前記紙葉が不良で有るか否かを判別する良否判別手段」に相当する。
　
　引用発明の「該鑑査部３６により不良があると判別されたとき、該不良があると判別されたリジェクト券を、前記記憶手段の記憶に基づいて前記リジェクト券が繰り出された前記万円庫１６、千円庫１７の前記リジェクト券収納部２０ｂ、２１ｂに搬送するリジェクト券回収手段」と本願発明の「該良否判別手段により不良があると判別されたとき、該不良があると判別された不良紙葉を、前記各紙葉枚数記憶手段の記憶に基づいて前記不良紙葉が繰り出された前記紙幣収納体の前記不良回収部に回収する不良紙葉回収手段」とは、「該良否判別手段により不良があると判別されたとき、該不良があると判別された不良紙葉を、前記記憶手段の記憶に基づいて前記不良紙葉が繰り出された前記紙幣収納体の前記不良回収部に回収する不良紙葉回収手段」である点で一致する。
　
　本件補正は、ＲＡＭ２４又はＨＤ装置２５が補正前の請求項１の「紙幣収納体記憶手段」と補正前の請求項２の「各紙葉枚数記憶手段」の両記憶手段として用いられていることを根拠に、補正前の請求項１の「紙幣収納体記憶手段」の名称を「各紙葉枚数記憶手段」としたものである。
　そうすると、本件補正により補正前の請求項１の「紙幣収納体記憶手段」を「各紙葉枚数記憶手段」に書き換えた、補正後の請求項１の「前記紙葉繰出手段、前記
紙葉枚数
　このことを踏まえれば、引用発明の「前記紙幣繰出手段、（紙幣繰出手段により紙幣が繰り出されたとき、該紙幣が繰り出された金庫が万円庫１６及び千円庫１７のうち、いずれの金庫であるかを記憶する）前記記憶手段、前記鑑査部３６、及び前記リジェクト券回収手段による一連の処理を万円庫１６、千円庫１７のうち、出金の金種に応じた金庫ごとに個別に順次行なう制御手段」と本願発明の「前記紙葉繰出手段、前記紙葉枚数記憶手段、前記良否判別手段、及び前記不良紙葉回収手段による一連の処理を所望の各紙幣収納体ごとに個別に順次行なう制御手段」とは、「前記紙葉繰出手段、前記紙葉繰出手段により前記紙葉が繰り出されたとき、該紙葉が繰出された前記紙幣収納体が前記複数の紙幣収納体のうち、いずれの前記紙幣収納体であるかを記憶する前記記憶手段、前記良否判別手段、及び前記不良紙葉回収手段による一連の処理を所望の各紙幣収納体ごとに個別に順次行なう制御手段」である点で一致する。
　
　引用発明の「万円庫１６、千円庫１７のＥＥＰＲＯＭ９５は、入出金取引終了後の万円庫１６、千円庫１７ごとの現有総紙幣枚数を記憶する」ことと本願発明の「前記各紙葉枚数記憶手段の記憶に基づいて、前記複数の紙幣収納体ごとの現有総紙葉枚数を算出する現有総紙葉枚数算出手段」を有することとは、「前記複数の紙幣収納体ごとの現有総紙葉枚数を得る」点で一致する。　
　
　以上によれば、本願発明と引用発明とは次の点で一致する。
 （一致点）
「紙葉を投入又は放出する投出部と、
　該紙葉を搬送する複数の搬送経路から成る搬送路と、
　該搬送路の下方に配置された紙幣収納体収容部と、
　該紙幣収納体収容部に着脱自在に装着され、複数種類の紙葉を種類毎に収納する収納部と共に不良紙葉を回収する不良回収部を内蔵する複数の紙幣収納体と、
　該投出部に前記複数の紙幣収納体のうち、所望の前記紙幣収納体から前記紙葉を繰り出す紙葉繰出手段と、
　複数の前記紙幣収納体ごとに、初期に前記紙葉の初期収容枚数を記憶しており、前記不良紙葉の回収枚数合計を記憶する記憶手段と、
　前記紙葉繰出手段により前記紙葉が繰り出されたとき、該紙葉が繰出された前記紙幣収納体が前記複数の紙幣収納体のうち、いずれの前記紙幣収納体であるかを記憶する記憶手段と、
　前記搬送路に沿った所定の１箇所に設けられ、繰り出された前記紙葉が不良で有るか否かを判別する良否判別手段と、
　該良否判別手段により不良があると判別されたとき、該不良があると判別された不良紙葉を、前記紙葉繰出手段により前記紙葉が繰り出されたとき、該紙葉が繰出された前記紙幣収納体が前記複数の紙幣収納体のうち、いずれの前記紙幣収納体であるかを記憶する前記記憶手段の記憶に基づいて前記不良紙葉が繰り出された前記紙幣収納体の前記不良回収部に回収する不良紙葉回収手段と、
　前記紙葉繰出手段、前記紙葉繰出手段により前記紙葉が繰り出されたとき、該紙葉が繰出された前記紙幣収納体が前記複数の紙幣収納体のうち、いずれの前記紙幣収納体であるかを記憶する前記記憶手段、前記良否判別手段、及び前記不良紙葉回収手段による一連の処理を所望の各紙幣収納体ごとに個別に順次行なう制御手段と、
　を有し、
　前記複数の紙幣収納体ごとの現有総紙葉枚数を得る紙葉取扱装置。」
　
　そして、両者は次の点で相違する。
（相違点１）
　「複数の前記紙幣収納体ごとに、初期に前記紙葉の初期収容枚数を記憶しており、前記不良紙葉の回収枚数合計を記憶する記憶手段」を有し、「前記複数の紙幣収納体ごとの現有総紙葉枚数を得る」ことにつき、
　本願発明では、「複数の前記紙幣収納体ごとに、前記紙葉の初期収容枚数、追加収容枚数合計、繰り出し枚数合計、前記不良紙葉の回収枚数合計を記憶する各紙葉枚数記憶手段」と「前記各紙葉枚数記憶手段の記憶に基づいて、前記複数の紙幣収納体ごとの現有総紙葉枚数を算出する現有総紙葉枚数算出手段」とを有しているのに対して
　引用発明では、万円庫１６、千円庫１７（複数の前記紙幣収納体）が入出金ユニット１２に装着される時（初期）にそれぞれに収納されている総紙幣枚数（初期収容枚数）を記憶しており、リジェクト券（不良紙葉）の回収枚数合計を記憶する万円庫１６及び千円庫１７のＥＥＰＲＯＭ９５を有し、該ＥＥＰＲＯＭ９５は、入出金取引終了後の万円庫１６、千円庫１７ごとの現有総紙幣枚数を記憶するものの、該ＥＥＰＲＯＭ９５が、紙幣の初期収容枚数、追加収容枚数合計、繰り出し枚数合計を記憶するか否か不明であり、該ＥＥＰＲＯＭ９５の記憶に基づいて、万円庫１６、千円庫１７ごとの現有総紙幣枚数を算出する現有総紙葉枚数算出手段を有しているか否か不明である点。
　
（相違点２）
　「前記紙葉繰出手段により前記紙葉が繰り出されたとき、該紙葉が繰出された前記紙幣収納体が前記複数の紙幣収納体のうち、いずれの前記紙幣収納体であるかを記憶する記憶手段」につき、　
　本願発明では、「各紙葉枚数記憶手段」が、「前記紙葉繰出手段により前記紙葉が繰り出されたとき、該紙葉が繰出された前記紙幣収納体が前記複数の紙幣収納体のうち、いずれの前記紙幣収納体であるかを記憶する」記憶手段でもあるのに対して
　引用発明では、万円庫１６及び千円庫１７のＥＥＰＲＯＭ９５が、紙幣繰出手段（紙葉繰出手段）により紙幣が繰り出されたとき、該紙幣が繰出された金庫（紙幣収納体）が万円庫１６及び千円庫１７（複数の紙幣収納体）のうち、いずれの金庫（紙幣収納体）であるかを記憶する記憶手段であるか否か不明である点。
　
VI．判断
（相違点１）
　引用発明は、万円庫１６、千円庫１７が入出金ユニット１２に装着される時にそれぞれに収納されている総紙幣枚数を記憶しており、リジェクト券の回収枚数合計を記憶し、入出金取引終了後の万円庫１６、千円庫１７ごとの現有総紙幣枚数を記憶する万円庫１６及び千円庫１７のＥＥＰＲＯＭ９５を有しているものであるところ、入出金取引終了後の万円庫１６、千円庫１７の現有総紙幣枚数は、万円庫１６、千円庫１７の装着時に収納されている総紙幣枚数、万円庫１６、千円庫１７への追加収容枚数合計、繰り出し枚数合計、リジェクト券の回収枚数合計に基づいて算出されるものであることが技術常識からして明らかであるとともに、引用例には「入出金の取引用の貨幣等の情報を記憶するＥＥＰＲＯＭ」（記載イ）と記載されているように、ＥＥＰＲＯＭ９５に万円庫１６、千円庫１７への紙幣の追加収容枚数、繰り出し枚数を記憶することが示唆されていることからして、引用例に接した当業者であれば、引用発明は、万円庫１６、千円庫１７のＥＥＰＲＯＭ９５に、万円庫１６、千円庫１７の装着時（初期）に収納されている総紙幣枚数（紙幣の初期収容枚数）、万円庫１６、千円庫１７への追加収容枚数合計、繰り出し枚数合計、リジェクト券（不良紙葉）の回収枚数合計を記憶し、前記ＥＥＰＲＯＭ９５の記憶に基づいて、万円庫１６、千円庫１７（複数の紙幣収納体ごと）の現有総紙幣枚数を算出する現有総紙葉枚数算出手段を有していることを理解するといえる。（平成２５年１１月２２日付けの回答書の（２）の項において、請求人も『引用刊行物１（当審注：引用例）には、本願発明の「複数の前記紙幣収納体ごとに、前記紙葉の初期収容枚数、追加収容枚数合計、繰り出し枚数合計前記不良紙葉の回収枚数合計を記憶する」こと及び「前記紙葉操出手段、前記紙葉枚数記憶手段、前記良否判別手段及び前記不良紙葉回収手段による一連の処理を所望の各紙幣収納体ごとに個別に順次行なう制御手段」が記載されています。』としている。）
　そうすると、相違点１は引用例に記載されているに等しく、実質的な相違点ではない。
　なお、仮に相違点１が引用例に記載されているに等しいとまではいえないとしても、引用発明において、入出金取引終了後の万円庫１６、千円庫１７の現有総紙幣枚数は、万円庫１６、千円庫１７の装着時に収納されている総紙幣枚数、万円庫１６、千円庫１７への追加収容枚数合計、繰り出し枚数合計、リジェクト券の回収枚数合計に基づいて算出されるものであることが技術常識からして明らかであるとともに、引用例には「入出金の取引用の貨幣等の情報を記憶するＥＥＰＲＯＭ」（記載イ）と記載されているように、ＥＥＰＲＯＭ９５に万円庫１６、千円庫１７への紙幣の追加収容枚数、繰り出し枚数を記憶することが示唆されていることからして、引用発明において、入出金取引終了後の万円庫１６、千円庫１７ごとの現有総紙幣枚数を得るに当たり、相違点１に係る構成を採用することは、当業者が容易に想到し得る程度の事項である。
　
（相違点２）
　特定の情報をどの記憶手段に記憶させるかは適宜決定される程度の事項であるから、引用発明において、「万円庫１６、千円庫１７の装着時（初期）に収納されている総紙幣枚数（紙幣の初期収容枚数）、万円庫１６、千円庫１７への追加収容枚数合計、繰り出し枚数合計、リジェクト券（不良紙葉）の回収枚数合計」と「紙幣繰出手段（紙葉繰出手段）により紙幣が繰り出されたとき、該紙幣が繰出された金庫（紙幣収納体）が万円庫１６及び千円庫１７（複数の紙幣収納体）のうち、いずれの金庫（紙幣収納体）であるか」とを同一の記憶手段に記憶させて、相違点２に係る本願発明の発明特定事項とすることは、当業者が必要に応じて適宜なし得る設計事項である。
　 
　本願発明の効果は、当業者が引用発明から予測し得る範囲内のものである。
  
　以上によれば、本願発明は、引用発明に基いて当業者が容易に発明をすることができたものである。
　
VII．むすび
　以上のとおり、本願発明は、引用発明に基いて当業者が容易に発明をすることができたものであるから、特許法第２９条第２項の規定により特許を受けることができない。
　よって、結論のとおり審決する。